【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】
冷媒を圧縮する圧縮機、前記圧縮機により圧縮された冷媒を凝縮する凝縮器、冷媒流路を全閉にする全閉機能を備えて前記凝縮器により凝縮された冷媒を減圧する減圧装置、前記減圧装置により減圧された冷媒を蒸発させる冷却器、前記冷却器から流出する余剰液冷媒を溜めるアキュムレータを冷媒配管により順次接続して構成する冷凍サイクルと、前記冷却器に付着した霜を取り除く霜取り運転時に前記圧縮機を停止させるとともに、前記全閉機能を備えた減圧装置を全閉にして前記冷却器への冷媒流路を閉じる制御手段と、を備えたことを特徴とする冷蔵庫。
【請求項２】
前記制御手段は、前記霜取り運転の終了時に全閉機能を備えた前記減圧装置の冷媒流路を開き、前記圧縮機の吐出側と吸入側との圧力差が少なくとも前記圧縮機の起動可能な圧力差に低下する所定時間経過してから、前記圧縮機を再運転するようにしたことを特徴とする請求項１に記載の冷蔵庫。
【請求項３】
前記減圧装置を、冷媒流路を開閉する開閉手段と、前記開閉手段に接続される毛細管とで構成し、前記開閉手段を前記毛細管と前記冷却器の間に設けたことを特徴とする請求項１または請求項２に記載の冷蔵庫。
【請求項４】
前記全閉機能を備えた減圧装置は、膨張弁またはＬＥＶ（電子式膨脹弁）であることを特徴とする請求項１または請求項２に記載の冷蔵庫。
【請求項５】
前記凝縮器により凝縮された冷媒を複数の冷媒流路に分岐させ、前記減圧装置の前記開閉手段を、前記複数の冷媒流路を切り替え可能で前記複数の冷媒流路を全て閉鎖できる切替弁とするとともに、前記切替弁と、前記複数の冷媒流路に接続される複数の毛細管と、で前記減圧装置を構成したことを特徴とする請求項１ないし請求項３のいずれか１項に記載の冷蔵庫。
【請求項６】
冷蔵庫本体内に設けられ食品を貯蔵する貯蔵室と、前記冷却器で生成された冷気を前記貯蔵室に供給する庫内ファンと、前記貯蔵室に供給する冷気量を調整するダンパと、前記冷却器を加熱する霜取りヒータと、を備え、前記制御手段は前記霜取り運転時に前記ダンパを閉じたことを特徴とする請求項１ないし請求項５のいずれか１項に記載の冷蔵庫。
【請求項７】
前記制御手段は霜取り運転の開始時に前記庫内ファンを、少なくとも前記冷却器内の残留液冷媒がほぼ蒸発してしまうまでの所定時間運転した後に、前記霜取りヒータを通電させるようにしたことを特徴とする請求項６に記載の冷蔵庫。
【請求項８】
前記制御手段は前記霜取り運転中に前記霜取りヒータを通電するとともに、前記庫内ファンを運転したことを特徴とする請求項６または請求項７に記載の冷蔵庫。
【請求項９】
前記制御手段は前記霜取り運転の開始時に、前記圧縮機の回転速度を所定の速度に減速してから前記圧縮機を停止させたことを特徴とする請求項１ないし請求項８のいずれか１項に記載の冷蔵庫。
【請求項１０】
前記圧縮機を、低圧シェル圧縮機としたことを特徴とする請求項１ないし請求項９のいずれか１項に記載の冷蔵庫。
【請求項１１】
前記庫内ファンは下限から上限までの回転数範囲を有し、前記霜取り運転時の前記庫内ファンの回転数を前記回転数範囲から選択する選択設定手段を備えたことを特徴とする請求項６ないし請求項１０のいずれか１項に記載の冷蔵庫。
【請求項１２】
前記冷却器を配置した冷蔵庫の冷却器室内に、前記冷却器で生成された冷気を、食品を貯蔵する貯蔵室に経由させないで直接前記冷却器へと戻るショートサイクル風路を設けたことを特徴とする請求項１ないし請求項１１のいずれか１項に記載の冷蔵庫。
【請求項１３】
前記ショートサイクル風路内に前記ショートサイクル風路の風量を調節するショートサイクル風量調整ダンパを設け、前記制御手段は前記ショートサイクル風量調整ダンパを前記霜取り運転時に開くとともに、霜取り運転時でない時には前記ショートサイクル風量調整ダンパを閉じるようにしたことを特徴とする請求項１２に記載の冷蔵庫。
【請求項１４】
冷媒を圧縮する圧縮機、前記圧縮機により圧縮された冷媒を凝縮する凝縮器、冷媒流路を全閉にする全閉機能を備えて前記凝縮器により凝縮された冷媒を減圧する減圧装置、前記減圧装置により減圧された冷媒を蒸発させる冷却器、前記冷却器から流出する余剰液冷媒を溜めるアキュムレータを冷媒配管により順次接続して構成する冷凍サイクルの霜取り運転の開始を判定する霜取り開始判定ステップと、前記霜取り開始判定ステップで霜取りが必要と判定された際に、前記全閉機能を備えた減圧装置を全閉にして前記冷却器への冷媒流路を閉じる減圧装置全閉ステップと、を備えたことを特徴とする冷蔵庫の運転方法。
【請求項１５】
霜取り運転が終了したかを判定する霜取り終了判定ステップと、前記霜取り終了判定ステップで霜取り終了と判定した際に前記圧縮機の吐出側と吸入側との圧力差が少なくとも前記圧縮機の起動可能な圧力差に低下する所定時間、全閉機能を備えた前記減圧装置の冷媒流路を開く減圧装置所定時間全開ステップと、前記減圧装置所定時間全開ステップの所定時間が経過してから前記圧縮機を再運転する圧縮機再運転ステップと、を備えたことを特徴とする請求項１４項に記載の冷蔵庫の運転方法。
【請求項１６】
前記霜取り開始判定ステップで霜取りが必要と判定された際に、食品を貯蔵する貯蔵室に前記冷却器で生成された冷気を供給する庫内ファンを、少なくとも前記冷却器の残留液冷媒がほぼ蒸発してしまうまでの所定時間運転する庫内ファン所定時間運転ステップと、前記庫内ファン所定時間運転ステップで前記庫内ファンを所定時間運転した後、前記冷却器を加熱する霜取りヒータを通電させる霜取りヒータ通電ステップと、を設けたことを特徴とする請求項１４または請求項１５に記載の冷蔵庫の運転方法。
【手続補正２】
【補正対象書類名】明細書
【補正対象項目名】００１５
【補正方法】変更
【補正の内容】
【００１５】
【課題を解決するための手段】
この発明の請求項１に係わる冷蔵庫は、冷媒を圧縮する圧縮機、前記圧縮機により圧縮された冷媒を凝縮する凝縮器、冷媒流路を全閉にする全閉機能を備えて前記凝縮器により凝縮された冷媒を減圧する減圧装置、前記減圧装置により減圧された冷媒を蒸発させる冷却器、前記冷却器から流出する余剰液冷媒を溜めるアキュムレータを冷媒配管により順次接続して構成する冷凍サイクルと、前記冷却器に付着した霜を取り除く霜取り運転時に前記圧縮機を停止させるとともに、前記全閉機能を備えた減圧装置を全閉にして前記冷却器への冷媒流路を閉じる制御手段と、を備えたものである。
【手続補正３】
【補正対象書類名】明細書
【補正対象項目名】００１６
【補正方法】変更
【補正の内容】
【００１６】
この発明の請求項２に係わる冷蔵庫は、前記制御手段は、前記霜取り運転の終了時に前記全閉機能を備えた前記減圧装置の冷媒流路を開き、前記圧縮機の吐出側と吸入側との圧力差が少なくとも前記圧縮機の起動可能な圧力差に低下する所定時間経過してから、前記圧縮機を再運転するようにしたものである。
【手続補正４】
【補正対象書類名】明細書
【補正対象項目名】００１７
【補正方法】変更
【補正の内容】
【００１７】
この発明の請求項３に係わる冷蔵庫は、前記減圧装置を、冷媒流路を開閉する開閉手段と、前記開閉手段に接続される毛細管とで構成し、前記開閉手段を前記毛細管と前記冷却器の間に設けたものである。
【手続補正５】
【補正対象書類名】明細書
【補正対象項目名】００２８
【補正方法】変更
【補正の内容】
【００２８】
この発明の請求項１４に係わる冷蔵庫の運転方法は、冷媒を圧縮する圧縮機、前記圧縮機により圧縮された冷媒を凝縮する凝縮器、冷媒流路を全閉にする全閉機能を備えて前記凝縮器により凝縮された冷媒を減圧する減圧装置、前記減圧装置により減圧された冷媒を蒸発させる冷却器、前記冷却器から流出する余剰液冷媒を溜めるアキュムレータを冷媒配管により順次接続して構成する冷凍サイクルの霜取り運転の開始を判定する霜取り開始判定ステップと、前記霜取り開始判定ステップで霜取りが必要と判定された際に、前記全閉機能を備えた減圧装置を全閉にして前記冷却器への冷媒流路を閉じる減圧装置全閉ステップと、を備えたものである。
【手続補正６】
【補正対象書類名】明細書
【補正対象項目名】００２９
【補正方法】変更
【補正の内容】
【００２９】
この発明の請求項１５に係わる冷蔵庫の運転方法は、霜取り運転が終了したかを判定する霜取り終了判定ステップと、前記霜取り終了判定ステップで霜取り終了と判定した際に前記圧縮機の吐出側と吸入側との圧力差が少なくとも前記圧縮機の起動可能な圧力差に低下する所定時間、全閉機能を備えた前記減圧装置の冷媒流路を開く減圧装置所定時間全開ステップと、前記減圧装置所定時間全開ステップの所定時間が経過してから前記圧縮機を再運転する圧縮機再運転ステップと、を備えたものである。
【手続補正７】
【補正対象書類名】明細書
【補正対象項目名】０１４４
【補正方法】変更
【補正の内容】
【０１４４】
【発明の効果】
本発明の請求項１に係る冷蔵庫は、冷媒を圧縮する圧縮機、前記圧縮機により圧縮された冷媒を凝縮する凝縮器、冷媒流路を全閉にする全閉機能を備えて前記凝縮器により凝縮された冷媒を減圧する減圧装置、前記減圧装置により減圧された冷媒を蒸発させる冷却器、前記冷却器から流出する余剰液冷媒を溜めるアキュムレータを冷媒配管により順次接続して構成する冷凍サイクルと、前記冷却器に付着した霜を取り除く霜取り運転時に前記圧縮機を停止させるとともに、前記全閉機能を備えた減圧装置を全閉にして前記冷却器への冷媒流路を閉じる制御手段と、を備えたので、霜取り運転時に冷却器から液冷媒が流出してアキュムレータ内を溢れてアキュムレータに接続された吸入管へ流出することがなく、よって吸入管から冷媒が逆流してアキュムレータで騒音となる不快音を生じないようにできる冷蔵庫を得られる効果がある。
【手続補正８】
【補正対象書類名】明細書
【補正対象項目名】０１４５
【補正方法】変更
【補正の内容】
【０１４５】
また、本発明の請求項２に係わる冷蔵庫は、前記制御手段は、前記霜取り運転の終了時に全閉機能を備えた前記減圧装置の冷媒流路を開き、前記圧縮機の吐出側と吸入側との圧力差が少なくとも前記圧縮機の起動可能な圧力差に低下する所定時間経過してから、前記圧縮機を再運転するようにしたので、圧縮機の吐出側と吸入側との圧力差が高い状態で運転される差圧起動が防止され、圧縮機の寿命を延ばす効果がある。
【手続補正９】
【補正対象書類名】明細書
【補正対象項目名】０１４６
【補正方法】変更
【補正の内容】
【０１４６】
また、本発明の請求項３に係わる冷蔵庫は、前記減圧装置を、冷媒流路を開閉する開閉手段と、前記開閉手段に接続される毛細管とで構成し、前記開閉手段を前記毛細管と前記冷却器の間に設けたので、霜取り運転時の冷却器への冷媒の流入量がさらに少なく、従って、さらにアキュムレータから吸入管へと液冷媒が流出することを防止でき、吸入管から冷媒が逆流して不快音を生じることがないようにできる効果がある。
【手続補正１０】
【補正対象書類名】明細書
【補正対象項目名】０１５７
【補正方法】変更
【補正の内容】
【０１５７】
また、本発明の請求項１４に係わる冷蔵庫の運転方法は、冷媒を圧縮する圧縮機、前記圧縮機により圧縮された冷媒を凝縮する凝縮器、冷媒流路を全閉にする全閉機能を備えて前記凝縮器により凝縮された冷媒を減圧する減圧装置、前記減圧装置により減圧された冷媒を蒸発させる冷却器、前記冷却器から流出する余剰液冷媒を溜めるアキュムレータを冷媒配管により順次接続して構成する冷凍サイクルの霜取り運転の開始を判定する霜取り開始判定ステップと、前記霜取り開始判定ステップで霜取りが必要と判定された際に、前記全閉機能を備えた減圧装置を全閉にして前記冷却器への冷媒流路を閉じる減圧装置全閉ステップと、を備えたので、簡単な制御で霜取り運転時に冷却器への冷媒の流入を遮断し、冷却器から液冷媒が流出してアキュムレータ内を溢れて吸入管へ流出することがなく、よって吸入管から冷媒が逆流して騒音となる不快音を生じないようにできる冷蔵庫の運転方法を得ることができる。
【手続補正１１】
【補正対象書類名】明細書
【補正対象項目名】０１５８
【補正方法】変更
【補正の内容】
【０１５８】
また、本発明の請求項１５に係わる冷蔵庫の運転方法は、霜取り運転が終了したかを判定する霜取り終了判定ステップと、前記霜取り終了判定ステップで霜取り終了と判定した際に前記圧縮機の吐出側と吸入側との圧力差が少なくとも前記圧縮機の起動可能な圧力差に低下する所定時間、全閉機能を備えた前記減圧装置の冷媒流路を開く減圧装置所定時間全開ステップと、前記減圧装置所定時間全開ステップの所定時間が経過してから前記圧縮機を再運転する圧縮機再運転ステップと、を備えたので、簡単な制御で、圧縮機の吐出側と吸入側との圧力差が高い状態で運転される差圧起動が防止され、圧縮機の寿命を延ばす効果がある。